(57)【要約】      （修正有）【課題】乾式壁を高遮音性の要求を満たすことのできる構造としつつ、乾式壁に含まれるランナーを土台部に適切に固定することのできるランナー保持部材およびランナー固定構造を提供する。【解決手段】乾式壁は、第１空間側および第２空間側それぞれにおいて、縦方向に延びる第１および第２のスタッドと、第１のスタッドの軸方向下端および第２のスタッドの軸方向下端をそれぞれ抱え込むように、表裏方向に間隔をあけて配置される第１および第２のランナー３３，３４とを含む。ランナー保持部材６は、第１および第２のランナー３３，３４間において土台部１２に固定されることによって、土台部１２上の所定位置に第１および第２のランナー３３，３４を保持する。ランナー保持部材６は、固定具１４によって、たとえば、第１および第２のランナー３３，３４それぞれの裏側鍔部３３１，３４１間に配置される底壁を貫通するように固定する。【選択図】図５
2014240583.tif 000002
【特許請求の範囲】
【請求項１】
隣り合う第１空間および第２空間を仕切る仕切り面に沿って配置される乾式壁と、
前記乾式壁を下方から支える土台部とを備え、
前記乾式壁は、
前記第１空間側および前記第２空間側それぞれにおいて、縦方向に延びる第１および第２のスタッドと、
前記第１のスタッドの軸方向下端および前記第２のスタッドの軸方向下端をそれぞれ抱え込むように、表裏方向に間隔をあけて配置される第１および第２のランナーとを含み、
前記土台部上の所定位置に、前記第１および第２のランナーを保持するためのランナー保持部材と、
前記第１および第２のランナー間に位置し、前記ランナー保持部材を前記土台部に固定するための固定具とをさらに備える、ランナー固定構造。
【請求項２】
前記第１および第２のランナーの各々は、前記スタッドの下端を受けるベース部と、前記ベース部の表側端部より上方に延びる第１の鍔部と、前記ベース部の裏側端部より上方に延びる第２の鍔部とを有しており、
前記ランナー保持部材は、前記第１および第２のランナーそれぞれの前記第２の鍔部間を、所定の間隔に保持するために配置される間隔保持部を含む、請求項１に記載のランナー固定構造。
【請求項３】
前記間隔保持部は、
前記第１および第２のランナーそれぞれの前記第２の鍔部間に配置され、前記第１および第２のランナーの、表裏方向裏側への移動を規制するための裏側移動規制部と、
前記第１および第２のランナーそれぞれの前記第２の鍔部の表側に配置され、前記第１および第２のランナーの、表裏方向表側への移動を規制するための一対の表側移動規制部とを有する、請求項２に記載のランナー固定構造。
【請求項４】
前記裏側移動規制部と各前記表側移動規制部とは、前記第２の鍔部を上側から抱え込む抱え込み部によって連結されている、請求項３に記載のランナー固定構造。
【請求項５】
前記裏側移動規制部は、前記第２の鍔部それぞれが対向する対向面に沿って延びる立壁と、前記立壁の下端を連結し、前記土台部上に載置される底壁とを含み、
前記固定具は、前記底壁を貫通して延びる、請求項４に記載のランナー固定構造。
【請求項６】
前記表側移動規制部の裏側の面には、前記第２の鍔部の表側の面と接触する凸部が設けられている、請求項５に記載のランナー固定構造。
【請求項７】
前記表側移動規制部は、前記ベース部上にまで延びており、
前記ランナー保持部材は、前記表側移動規制部の下端より表側に延び、前記ベース部の上面と当接する押さえ部をさらに含む、請求項５に記載のランナー固定構造。
【請求項８】
前記裏側移動規制部は、前記第２の鍔部それぞれの間に配置される筒体を含み、
前記固定具は、前記筒体の中央孔を貫通して延びる、請求項４に記載のランナー固定構造。
【請求項９】
前記間隔保持部は、
前記第１および第２のランナーの下に位置し、前記土台部上に載置される底壁と、
前記底壁の表裏方向両端から上方に立ち上がる表側立壁と、
前記底壁から、前記第２の鍔部それぞれが対向する対向面に沿って立ち上がる裏側立壁とを含む、請求項２に記載のランナー固定構造。
【請求項１０】
前記ランナー保持部材は、
前記第１のランナーを保持するための第１のランナー保持具と、
前記第１および第２のランナーが延びる方向において前記第１のランナー保持具とは間隔をあけて、前記第２のランナーを保持するための第２のランナー保持具とを含み、
前記第１のランナー保持具は、前記第１のランナーの、表側および裏側への移動を規制する第１の移動規制部を含み、
前記第２のランナー保持具は、前記第２のランナーの、表側および裏側への移動を規制する第２の移動規制部を含み、
前記固定具は、前記第１および第２のランナー保持具を、それぞれ別個に前記土台部に固定する、請求項１に記載のランナー固定構造。
【請求項１１】
隣り合う第１空間および第２空間を仕切る仕切り面に沿って配置される乾式壁に用いられるランナーを、土台部上に保持するためのランナー保持部材であって、
前記乾式壁は、前記第１空間側および前記第２空間側それぞれにおいて、縦方向に延びる第１および第２のスタッドと、前記第１のスタッドの軸方向下端および前記第２のスタッドの軸方向下端をそれぞれ抱え込むように、表裏方向に間隔をあけて配置される第１および第２のランナーとを含んでおり、
前記第１および第２のランナー間において前記土台部に固定されることによって、前記土台部上の所定位置に前記第１および第２のランナーを保持する、ランナー保持部材。
【発明の詳細な説明】
【技術分野】
【０００１】
本発明は、ランナー保持部材およびランナー固定構造に関し、特に、乾式壁に用いられるランナーを固定保持するためのランナー保持部材、および、これを含むランナー固定構造に関する。
【背景技術】
【０００２】
長屋や共同住宅等の界壁には、乾式壁が使用される。乾式壁では、一般的に、基礎部材の一方面側および他方面側に、二層の石膏ボードが固定される。基礎部材は、縦方向に延びる複数のスタッドと、それらの軸方向両端を抱え込むように配置される一対のランナーとを含む。たとえば特許第４２４１３２２号公報（特許文献１）では、複数のスタッドを千鳥状に配置することで、遮音性を高めることが開示されている。
【０００３】
一対のランナーは、建物の梁や基礎などに固定される。たとえば下側のランナーを建物の基礎に固定する場合、一般的には、特許文献２（特開２００４−２１８２６０号公報）に示されるように、固定具（たとえばアンカーボルトおよびナット）によって、縦断面においてランナーの中央部で固定される。この場合、基礎上に配置されるランナーは１つであるため、固定具は、基礎の中央部に差し込まれる。
【先行技術文献】
【特許文献】
【０００４】
【特許文献１】特許第４２４１３２２号公報
【特許文献２】特開２００４−２１８２６０号公報
【発明の概要】
【発明が解決しようとする課題】
【０００５】
乾式壁において、複数のスタッドを千鳥状に配置した場合、スタッドの一方面は石膏ボードと接するが、他方面側には空間ができるため、スタッドを介した音の伝搬を遮る効果がある。しかしながら、複数のスタッドを千鳥状に配置するだけでは、高遮音性の要求を十分に満たすことができない。
【０００６】
また、ランナーを単にその中央部において固定しようとすると、不具合が生じる場合がある。
【０００７】
本発明は、上記のような課題を解決するためになされたものであって、その目的は、乾式壁を高遮音性の要求を満たすことのできる構造としつつ、当該乾式壁に含まれるランナーを土台部に適切に固定することのできるランナー保持部材およびランナー固定構造を提供することである。
【課題を解決するための手段】
【０００８】
この発明のある局面に従うランナー保持構造は、隣り合う第１空間および第２空間を仕切る仕切り面に沿って配置される乾式壁と、乾式壁を下方から支える土台部とを備える。乾式壁は、第１空間側および第２空間側それぞれにおいて、縦方向に延びる第１および第２のスタッドと、第１のスタッドの軸方向下端および第２のスタッドの軸方向下端をそれぞれ抱え込むように、表裏方向に間隔をあけて配置される第１および第２のランナーとを含む。ランナー保持構造は、土台部上の所定位置に、第１および第２のランナーを保持するためのランナー保持部材と、第１および第２のランナー間に位置し、ランナー保持部材を土台部に固定するための固定具とをさらに備える。
【０００９】
第１および第２のランナーの各々は、スタッドの下端を受けるベース部と、ベース部の表側端部より上方に延びる第１の鍔部と、ベース部の裏側端部より上方に延びる第２の鍔部とを有している。ランナー保持部材は、第１および第２のランナーそれぞれの第２の鍔部間を、所定の間隔に保持するために配置される間隔保持部を含むことが望ましい。
【００１０】
好ましくは、間隔保持部は、第１および第２のランナーそれぞれの第２の鍔部間に配置され、第１および第２のランナーの、表裏方向裏側への移動を規制するための裏側移動規制部と、第１および第２のランナーそれぞれの第２の鍔部の表側に配置され、第１および第２のランナーの、表裏方向表側への移動を規制するための一対の表側移動規制部とを有する。
【００１１】
裏側移動規制部と各表側移動規制部とは、第２の鍔部を上側から抱え込む抱え込み部によって連結されていることが望ましい。
【００１２】
好ましくは、裏側移動規制部は、第２の鍔部それぞれが対向する対向面に沿って延びる立壁と、立壁の下端を連結し、土台部上に載置される底壁とを含み、固定具は、底壁を貫通して延びる。
【００１３】
表側移動規制部の裏側の面には、第２の鍔部の表側の面と接触する凸部が設けられていることが望ましい。
【００１４】
あるいは、表側移動規制部は、ベース部上にまで延びており、ランナー保持部材は、表側移動規制部の下端より表側に延び、ベース部の上面と当接する押さえ部をさらに含んでいてもよい。
【００１５】
裏側移動規制部は、第２の鍔部それぞれの間に配置される筒体を含んでもよい。この場合、固定具は、筒体の中央孔を貫通して延びる。
【００１６】
また、間隔保持部は、第１および第２のランナーの下に位置し、土台部上に載置される底壁と、底壁の表裏方向両端から上方に立ち上がる表側立壁と、底壁から、第２の鍔部それぞれが対向する対向面に沿って立ち上がる裏側立壁とを含んでもよい。
【００１７】
さらに好ましくは、ランナー保持部材は、第１のランナーを保持するための第１のランナー保持具と、第１および第２のランナーが延びる方向において第１のランナー保持具とは間隔をあけて、第２のランナーを保持するための第２のランナー保持具とを含んでもよい。第１のランナー保持具は、第１のランナーの、表側および裏側への移動を規制する第１の移動規制部を含み、第２のランナー保持具は、第２のランナーの、表側および裏側への移動を規制する第２の移動規制部を含む。この場合、固定具は、第１および第２のランナー保持具を、それぞれ別個に土台部に固定する。
【００１８】
この発明の他の局面に従うランナー保持部材は、隣り合う第１空間および第２空間を仕切る仕切り面に沿って配置される乾式壁に用いられるランナーを、土台部上に保持するためのランナー保持部材である。乾式壁は、第１空間側および第２空間側それぞれにおいて、縦方向に延びる第１および第２のスタッドと、第１のスタッドの軸方向下端および第２のスタッドの軸方向下端をそれぞれ抱え込むように、表裏方向に間隔をあけて配置される第１および第２のランナーとを含む。ランナー保持部材は、第１および第２のランナー間において土台部に固定されることによって、土台部上の所定位置に第１および第２のランナーを保持する。
【発明の効果】
【００１９】
本発明によれば、第１および第２のランナーが、表裏方向に間隔をあけて配置されるため、ランナーを介した音の伝搬を遮ることができる。したがって、高遮音性の要求を満たすことができる。
【００２０】
また、ランナー保持部材は、第１および第２のランナーを土台部上の所定位置に保持し、第１および第２のランナー間において土台部に固定される。そのため、土台部上に２つのランナーを配置する場合でも、土台部の中央部にこれらのランナーを固定することができる。したがって、第１および第２のランナーを、土台部に適切に固定することができる。
【図面の簡単な説明】
【００２１】
【図１】本発明の実施の形態における乾式壁の構造を示す縦断面図である。
【図２】図１のＩＩ−ＩＩ線で切断した場合の乾式壁の部分断面図である。
【図３】本発明の実施の形態における乾式壁のスタッドの配置例を示す横断面図である。
【図４】本発明の実施の形態の乾式壁において、天井部分における音の伝搬イメージを示す概念図である。
【図５】本発明の実施の形態１に係るランナー固定構造を示す模式断面図である。
【図６】本発明の実施の形態１に係るランナー保持部材を示す斜視図である。
【図７】本発明の実施の形態１の変形例１に係るランナー保持部材を示す斜視図である。
【図８】本発明の実施の形態１の変形例１に係るランナー保持部材の断面図である。
【図９】本発明の実施の形態１の変形例２に係るランナー保持部材の断面図である。
【図１０】本発明の実施の形態２に係るランナー保持部材を示す断面図である。
【図１１】本発明の実施の形態３に係るランナー保持部材を示す斜視図である。
【図１２】本発明の実施の形態３に係るランナー保持部材を示す断面図である。
【図１３】本発明の実施の形態４に係るランナー固定構造を模式的に示す上面図である。
【図１４】本発明の実施の形態４に係るランナー固定構造を示す断面図である。
【図１５】本発明の実施の形態４に係るランナー固定構造を示す断面図である。
【図１６】本発明の実施の形態１の比較例に係るランナー固定構造を示す図である。
【図１７】一般的な第１の乾式壁におけるスタッドの配置例を示す横断面図である。
【図１８】一般的な第２の乾式壁におけるスタッドの配置例を示す横断面図である。
【図１９】一般的な第２の乾式壁の構造例を示す縦断面図である。
【図２０】一般的な第２の乾式壁において、天井部分における音の伝搬イメージを示す概念図である。
【発明を実施するための形態】
【００２２】
本発明の実施の形態について図面を参照しながら詳細に説明する。なお、図中同一または相当部分には同一符号を付してその説明は繰返さない。
【００２３】
＜乾式壁について＞
本実施の形態に係る乾式壁は、共同住宅、長屋および寄宿舎等の住戸が連続する建築物における界壁（戸境壁）、あるいは、防音室等の高遮音性が求められる間仕切り壁が想定される。このような乾式壁は、隣り合う空間（部屋）を仕切るために配置される。本実施の形態において、隣り合う空間を仕切る仮想的な面を「仕切り面」といい、横断面において隣り合う空間を仕切る仮想的な線を「仕切り線」という。また、本実施の形態において、仕切り面と直交する方向を「表裏方向」という。
【００２４】
本実施の形態に係るランナー固定構造は、２つのランナーを独立して設けた乾式壁を前提としている。本出願人は、このような乾式壁の構造について、特願２０１２−２６２４４１号として出願済である。以下にまず、本実施の形態に係る乾式壁の構造について、一般的な乾式壁の構造と比較しながら説明する。
【００２５】
（一般的な乾式壁構造について）
図１７は、一般的な第１の乾式壁におけるスタッドの配置例を示す横断面図である。図１８は、一般的な第２の乾式壁におけるスタッドの配置例を示す横断面図である。図１９は、一般的な第２の乾式壁の構造例を示す縦断面図である。
【００２６】
図１７を参照して、乾式壁１０１Ａでは、対向する面部材１０４間に、複数の鋼製のスタッド１２０が間隔を置いて配置されている。各スタッド１２０の横断面は、短辺と長辺とを有する筒状の長方形状である。一般的に、スタッド１２０は、強軸配置されている。つまり、スタッド１２０は、長辺と面部材１０４に対して直交する方向（表裏方向）とが平行となるよう配置されている。面部材１０４は、各々、材質および厚みが等しい二層（二重）の石膏ボード１４１により構成されている。
【００２７】
各スタッド１２０は、対向する２つの短辺それぞれが面部材１０４と面接触している。したがって、スタッド１２０がサウンドブリッジとなり、一方側の空間で発生した音Ｓは、スタッド１２０を介して他方側の空間へ伝搬されてしまう。
【００２８】
これに対し、図１８に示す乾式壁１０１Ｂでは、複数のスタッド１２０が、千鳥状に配置されている。そのため、各スタッド１２０は、一方の短辺側のみにおいて、面部材１０４と面接触する。このように、乾式壁１０１Ｂにおいては、他方の短辺側とそれに対向する面部材１０４との間には空間ができるため、一方側の空間で発生した音Ｓは、乾式壁１０１Ｂの中空層において減衰される。したがって、遮音性が要求される界壁または間仕切り壁においては、複数のスタッド１２０が千鳥配置されることが多い。
【００２９】
このように、複数のスタッド１２０を強軸方向かつ千鳥状に配置する場合、隣り合うスタッド１２０は、整列方向に重なって配置される。そのため、図１９に示されるように、複数のスタッド１２０の軸方向両端は、表裏方向において共通の鋼製のランナー１３１，１３３によって固定される。この場合、ランナー１３１，１３３によって抱え込まれる部分には、各スタッド１２０の配置位置を固定するためのスペーサ１３５が挿入される。
【００３０】
このように、各取り付け場所（天井側および床側）において、複数のスタッド１２０を、表裏方向に共通のランナーで固定する場合、図２０に示されるように、一方側の空間で発生した音Ｓは、たとえば天井側のランナー１３１を介して、他方側の空間へ伝搬されてしまう可能性がある。つまり、ランナー１３１，１３３がサウンドブリッジを形成してしまう可能性がある。
【００３１】
そこで、本実施の形態に係る乾式壁は、以下に示すように、２つのランナーを表裏方向に独立して設けることとしている。
【００３２】
（本実施の形態に係る乾式壁構造について）
図１〜図４を参照して、本発明の実施の形態に係る乾式壁の構造について説明する。
【００３３】
図１は、本発明の実施の形態における乾式壁１の構造を示す縦断図である。図２は、図１のＩＩ−ＩＩ線で切断した場合の乾式壁１の部分断面図である。なお、図１および２において、紙面右側を第１空間、紙面左側を第２空間として説明する。また、図２における仮想線Ａ１は、仕切り線を示し、矢印Ａ２は、表裏方向を示している。
【００３４】
図１および図２を参照して、乾式壁１は、仕切り面に沿って配置される基礎部材２と、基礎部材２の一方面側および他方面側にそれぞれ固定される面部材４とを備えている。
【００３５】
基礎部材２は、第１空間側に間隔をおいて配置される複数のスタッド２１と、第２空間側に間隔をおいて配置される複数のスタッド２２とを含む。これらのスタッド２１および２２は、それぞれ、第１空間側および第２空間側において、直線状に整列している。各スタッド２１，２２は、鋼製であり、横断面の形状は、たとえば短辺が４０〜４５ｍｍ、長辺が６０〜６５ｍｍの略長方形状である。なお、本実施の形態において、スタッド２１の第１空間側の面およびスタッド２２の第２空間側の面、すなわち面部材４と接する側の側面を、「表面」という。また、スタッド２１の第２空間側の面およびスタッド２２の第１空間側の面、すなわち表面の反対側の側面を、「裏面」という。
【００３６】
基礎部材２は、また、複数のスタッド２１それぞれの軸方向両端を抱え込むように配置される一対のランナー３１，３３と、複数のスタッド２２それぞれの軸方向両端を抱え込むように配置される一対のランナー３２，３４とを含む。第２空間側のランナー３２，３４は、表裏方向において、第１空間側のランナー３１，３３とは所定の隙間を有して配置されている。
【００３７】
上側のランナー３１および３２は、各々、表裏方向両端に下向きの鍔部を有している。ランナー３１の鍔部の内側面が、スタッド２１の表面および裏面と接し、ランナー３２の鍔部の内側面が、スタッド２２の表面および裏面と接している。これにより、スタッド２１，２２の上側の端部は、それぞれ、ランナー３１，３２によって完全に抱え込まれる。下側のランナー３３および３４は、各々、表裏方向両端に上向きの鍔部（図５に示す鍔部３３１，３３２，３４１，３４２）を有している。ランナー３３の鍔部の内側面が、スタッド２１の表面および裏面と接し、ランナー３４の鍔部の内側面が、スタッド２２の表面および裏面と接している。これにより、スタッド２１，２２の下側の端部は、それぞれ、ランナー３２，３４によって完全に抱え込まれる。
【００３８】
このように、本実施の形態では、取り付け場所ごとに、表裏方向に独立して２つのランナーが設けられている。したがって、図４に示されるように、一方側の空間において発生した音Ｓは、たとえば天井側においても、ランナー３１，３２間の隙間３において遮断され、他方側の空間への伝搬を回避することができる。その結果、本実施の形態における乾式壁１によれば、図１８，１９に示した乾式壁１０１Ｂのような一般的な遮音壁よりも高遮音性の要求を満たすことができる。
【００３９】
ここで、図２および図３を参照して、複数のスタッド２１，２２の配置例について説明する。図３は、本発明の実施の形態１における乾式壁１のスタッド２１，２２の配置例を示す図であり、表裏方向に切断した場合の乾式壁１の断面図である。
【００４０】
本実施の形態において、各スタッド２１，２２は、弱軸配置されている。つまり、各スタッド２１，２２は、その短辺と面部材４に対して直交する方向（表裏方向）とが平行となるように配置されている。この場合でも、遮音性能が低下することのないように、各スタッド２１，２２の板厚は、図１８等に示した強軸配置されたスタッド１２０の板厚と同等であってよい。また、各スタッド２１，２２は、遮音性を考慮すると、閉鎖断面よりも、一方の長辺（裏面側）が開口を有する開放断面であることが望ましい。一方で、本実施の形態では、スタッド２１，２２が弱軸配置であるため、開放断面のスタッドは、壁の強度を担保できる範囲でのみ、すなわち部分的に、取り入れられることが望ましい。たとえば、第１空間および第２空間それぞれの部屋の種類（台所、リビングなど）に応じて、特に強度を必要とする空間側のスタッドのみを開放断面としてもよい。
【００４１】
このように、本実施の形態では、スタッド２１，２２が弱軸配置される。そのため、スタッド２１とスタッド２２との間の表裏方向の間隔Ｌ２（図２）をたとえば１０ｍｍとした場合、本実施の形態では、対向する面部材４間の距離、すなわち基礎部材２の厚みＬ１（図３）は、１００ｍｍ程度である。このように、本実施の形態によれば、取り付け場所ごとに表裏方向に独立して２つのランナーを設けても、基礎部材２の厚みＬ１が増大してしまうことを回避できる。
【００４２】
なお、第１空間側のスタッド２１と第２空間側のスタッド２２との間の隙間Ｌ２は、たとえば５ｍｍ以上１５ｍｍ以下の範囲で定められることが望ましい。この間隔の下限値は、少なくとも、第１空間側のランナー３１（３３）と第２空間側のランナー３２（３４）とが表裏方向に隙間を有し得る値であり、上限値は、基礎部材２間の厚みを考慮した値である。ランナー３２，３４（３１，３３）間の隙間は、壁全体の厚みやランナーの固定方法などに応じて定められてよい。
【００４３】
複数のスタッド２１，２２は、また、上述の乾式壁１０１Ｂと同様に、対向する面部材４間において千鳥状に配置されている。つまり、隣接するスタッド２１およびスタッド２２が、表裏方向に重ならないように互い違いに配置されている。なお、本実施の形態では、表裏方向においてスタッド２１，２２間に空間（隙間Ｌ２）があるため、スタッド２１およびスタッド２２は、表裏方向に少なくとも一部重なっていてもよいし、完全に重なっていてもよい。
【００４４】
複数のスタッド２１は、仕切り線Ａ１に沿って所定ピッチで配置されている。複数のスタッド２２は、柱５１を中心として、仕切り線Ａ１に沿って所定ピッチで配置されている。柱５１の第２空間側には、石膏ボード４１を貼り付ける下地５２として、たとえばベニヤ板が配置されている。また、各列（第１空間側または第２空間側）において、隣り合うスタッド２１（２２）間には、吸音材５３として、たとえばグラスウールが設けられている。これにより、スタッド２１，２２の裏面側に吸音材５３が密着されるため、一方側の空間から発生した音が吸音材５３で吸音され、遮音性が高められる。
【００４５】
なお、本実施の形態では、スタッド２１，２２が弱軸配置であるため、壁の強度を確保するために、スタッドが強軸配置された乾式壁１０１Ｂ（図１８）よりも、各列において、スタッドの本数を多く設けてもよい。その場合、一部分においてのみ、スタッドを配置するピッチを小さくしてもよい。たとえば、第１空間および第２空間それぞれの部屋の種類に応じて、特に強度を必要とする空間側のピッチを、他方よりも小さくしてもよい。
【００４６】
図１および図３を参照して、面部材４は、各々、基礎部材２側に配置される石膏ボード４１と、空間側に露出して配置される強化石膏ボード４２とで構成されていてよい。強化石膏ボード４２は、耐火性能を強化するために、ガラス繊維等が混入された石膏ボード（網入り強化石膏ボード）である。強化石膏ボード４２は、耐火性能の向上のため、石膏ボード４１の厚みよりも大きいことが望ましい。具体的には、石膏ボード４１の厚みは、たとえば９．５ｍｍであり、強化石膏ボード４２の厚みは、たとえば１５ｍｍである。
【００４７】
以上説明した乾式壁１を建物の最下階に配置する場合などにおいては、下側のランナー３３，３４は、基礎１２に直接取り付けられことがある。以下に、下側のランナー３３，３４を建物の土台部に固定するためのランナー固定構造について、詳細に説明する。
【００４８】
＜実施の形態１＞
図５は、本発明の実施の形態１に係るランナー固定構造を示す模式断面図である。図６は、本発明の実施の形態１に係るランナー保持部材を示す斜視図である。なお、図５には、理解の容易のために、ランナー固定構造に関連する部分のみが示されている。
【００４９】
図１、図５および図６を参照して、下側のランナー３３，３４は、ランナー保持部材６によって基礎１２上の所定位置に保持される。基礎１２の材質は、コンクリートである。ランナー保持部材６は、図５の矢印Ａ３で示される、ランナー３３，３４の延びる方向に沿って、間隔をおいて配置される。なお、ランナー３３，３４の延びる方向は、スタッド２１，２２（図３）の整列方向と同じであるため、図５の矢印Ａ３で示される方向を、以下統一的に「整列方向」いう。ランナー保持部材６は、当該整列方向に隣り合うスタッド２１，２２間に、スタッド２１，２２と接しないように配置されることが望ましい。
【００５０】
ランナー３３は、スタッド２１の下端を受けるベース部３３０と、ベース部３３０の裏側端部より上方に延びる裏側鍔部３３１と、ベース部３３０の表側端部より上方に延びる表側鍔部３３２とを有している。同様に、ランナー３４は、スタッド２２の下端を受けるベース部３４０と、ベース部３４０の裏側端部より上方に延びる裏側鍔部３４１と、ベース部３４０の表側端部より上方に延びる表側鍔部３４２とを有している。
【００５１】
ランナー保持部材６は、単に、ランナー３３，３４を保持するだけでなく、裏側鍔部３３１，３４１間を所定の間隔（図４に示した隙間３に相当）に保持する機能（間隔保持部）を有していることが望ましい。本実施の形態では、間隔保持部として、ランナー３３，３４の、裏側への移動を規制するための裏側移動規制部６１と、表側への移動を規制するための一対の表側移動規制部６２，６３とがランナー保持部材６に含まれる。裏側移動規制部６１は、ランナー３３，３４の裏側鍔部３３１，３４１間に配置される。表側移動規制部６２，６３は、裏側鍔部３３１，３４１それぞれの表側（内側）に配置される。
【００５２】
本実施の形態に係るランナー保持部材６は、全体として、断面略Ｍ字形状を有しており、２つのランナー３３，３４の裏側鍔部３３１，３４１を跨いで把持している。
【００５３】
具体的には、裏側移動規制部６１と表側移動規制部６２とは、ランナー３３の裏側鍔部３３１を上側から抱え込む抱え込み部６４によって連結されている。同様に、裏側移動規制部６１と表側移動規制部６３とは、ランナー３４の裏側鍔部３４１を上側から抱え込む抱え込み部６５によって連結されている。抱え込み部６４，６５は、それぞれ、裏側鍔部３３１，３４１の上端面と接するように配置されてもよい。
【００５４】
また、裏側移動規制部６１は、図６に示されるように、一対の立壁６１１，６１２と、底壁６１３とを含んでいる。立壁６１１，６１２は、裏側鍔部３３１，３４１それぞれが対向する対向面（外側面）３３１ａ，３４１ａに沿って延びている。底壁６１３は、これら立壁６１１，６１２の下端を連結し、基礎１２上に載置される。表側移動規制部６２，６３は、裏側鍔部３３１，３４１の内側面（表裏方向表側の面）３３１ｂ，３４１ｂに沿って延びている。表側移動規制部６２，６３の下端とランナー３３，３４のベース部３３０，３４０の上面とは離れていてもよい。
【００５５】
このような形状のランナー保持部材６は、たとえば、１枚の鋼板が折り曲げ加工されることで形成することができる。
【００５６】
ランナー保持部材６は、たとえばビス１４によって、ランナー３３，３４間において基礎１２上に固定される。具体的には、ビス１４は、ランナー保持部材６の底壁６１３を貫通するように延びている。この場合、ビス１４は、表裏方向において基礎１２の中央部に打ち込まれる。
【００５７】
ここで、表裏方向に独立した２つのランナー３３，３４を有する乾式壁１においても、一般的なランナー固定方法を採用した場合のランナー固定構造を、本実施の形態の比較例として簡単に説明する。なお、一般的なランナー固定方法とは、図１９に示されるように、表裏方向においてランナーの中央部（ベース部）にビス１４等を貫通させて、ランナーを基礎１２上に固定する方法である。
【００５８】
（比較例）
図１６は、本発明の実施の形態１の比較例に係るランナー固定構造を示す図である。図１６を参照して、ランナー３３，３４は、それぞれのベース部３３０，３４０の中央部にビス１４が打ち込まれている。図示されるように、ランナー３３の表側鍔部３３２とランナー３４の表側鍔部３４２とが、それぞれ基礎１２の両端と一致するように配置されるような場合、すなわち基礎１２の幅が狭い場合には、一般的な固定方法では、基礎１２の端部近くにビス１４が打ち込まれる。たとえば、基礎１２の幅Ｌ３が１００ｍｍ、各ランナー３３，３４の幅Ｌ４が４６ｍｍとする。その場合、基礎１２の両端それぞれから２３ｍｍ程度の位置に、２本のビス１４が打ち込まれる。そうすると、基礎１２のビス１４周辺に、割れ１３が生じることがある。
【００５９】
これに対し、本実施の形態では、表裏方向に独立した２つのランナー３３，３４を有する乾式壁１においても、図５に示されるように、基礎１２の中央部にビス１４が打ち込まれる。そのため、上記のように基礎１２の幅が１００ｍｍの場合、基礎１２の両端から５０ｍｍ程度離れた箇所にビス１４を打ち込むことができる。したがって、本実施の形態によれば、比較例に示したような基礎１２の割れ１３を防ぐことができる。
【００６０】
また、本実施の形態では、整列方向において、ランナー保持部材６が部分的にのみ設けられる。そのため、ランナー３３，３４間に、これらを一括して保持するランナー保持部材６が配置されても、上述の一般的な乾式壁１０１Ｂ（図１９等）よりも遮音性を十分に高めることができる。
【００６１】
また、ランナー保持部材６は、２つのランナー３３，３４を完全に接続するのではなく、ランナー３３，３４間を所定の間隔に保持するように配置されるものである。したがって、ランナー３３，３４を完全に接続させる部材（たとえばスペーサ）を設ける場合と比べて、その部分におけるサウンドブリッジの影響を低減することができる。
【００６２】
また、ランナー保持部材６を用いることで、ランナー３３，３４の位置決めを容易にすることができるとともに、ビス１４は１箇所に打ち込むだけでよいため、施工性にも優れている。
【００６３】
なお、本実施の形態に係るランナー保持部材６は、ランナー３３，３４の裏側鍔部３３１，３４１側のみを抱えて、これらランナー３３，３４を保持しているため、ランナー３３，３４のがたつきを抑制できる形状とすることが望ましい。このような例を、本実施の形態の変形例１，２として以下に説明する。
【００６４】
（変形例１）
図７は、本発明の実施の形態１の変形例１に係るランナー保持部材６Ａを示す斜視図である。図８は、ランナー保持部材６Ａの断面図である。図８には、図７のＶＩＩＩ−ＶＩＩＩ線に沿って切断されたランナー保持部材６Ａが模式的に示されている。
【００６５】
図７および図８を参照して、本変形例では、表側移動規制部６２Ａ，６３Ａの裏側の面に、凸部６７が設けられている。凸部６７は、たとえば、表側移動規制部６２Ａ，６３Ａを表側から凹ませることで形成される。これにより、ランナー３３，３４の裏側鍔部３３１，３４１の内側面３３１ｂ，３４１ｂと、凸部６７とが接触するため、ランナー３３，３４のがたつきを防止することができる。
【００６６】
（変形例２）
図９は、本発明の実施の形態１の変形例２に係るランナー保持部材６Ｂの断面図である。図９を参照して、ランナー保持部材６Ｂは、表側移動規制部６２Ｂ，６３Ｂそれぞれが、ランナー３３，３４のベース部３３０，３４０上にまで延びている。ランナー保持部材６Ｂは、表側移動規制部６２Ｂ，６３Ｂの下端よりそれぞれ表側に延びる押さえ部６８，６９を含んでいる。押さえ部６８，６９は、たとえば平板状であり、その下面とベース部３３０，３４０の上面とが当接される。これにより、ランナー３３，３４のがたつきを防止することができる。
【００６７】
＜実施の形態２＞
本実施の形態に係るランナー保持部材は、実施の形態１と比較して、裏側移動規制部の構造が異なる。以下に、実施の形態１と異なる点のみ詳細に説明する。
【００６８】
図１０は、本発明の実施の形態２に係るランナー保持部材６Ｃを示す断面図である。図１０を参照して、ランナー保持部材６Ｃの裏側移動規制部６１Ａは、筒体６１４を含む。筒体６１４は、ランナー３３の裏側鍔部３３１と、ランナー３４の裏側鍔部３４１との間に配置され、かつ、その下端が基礎１２の上面と当接している。この場合、長尺のビス１４Ａが、筒体６１４の中央孔６１４ａを貫通して延びる。
【００６９】
この場合、表側移動規制部６２，６３および抱え込み部６４，６５は、筒体６１４の上面に固定された断面逆Ｕ字状の板材により一体的に構成されてもよい。この板材は、裏側鍔部３３１，３４１の上端面に位置する水平部分と、水平部分の両端部から垂下する垂直部分とを含む。
【００７０】
なお、本実施の形態では、筒体６１４の下端が、基礎１２の上面と接することとしたが、筒体６１４の下端と基礎１２の上面との間に、底壁（図示せず）が設けられていてもよい。この場合、ビス１４Ａは、筒体６１４の中央孔６１４ａおよび底壁（図示せず）を貫通して、基礎１２に打ち込まれる。
【００７１】
＜実施の形態３＞
上記実施の形態１，２では、ランナー保持部材が、２つのランナーの裏側鍔部を抱え込む構造であった。これに対し、本実施の形態におけるランナー保持部材は、２つのランナーの表側鍔部を抱え込む構造である。以下に、実施の形態１と異なる点のみ詳細に説明する。
【００７２】
図１１は、本発明の実施の形態３に係るランナー保持部材６Ｄを示す斜視図である。図１２は、ランナー保持部材６Ｄを示す断面図である。図１２には、図１１のＸＩＩ−ＸＩＩ線に沿って切断されたランナー保持部材６Ｄが示されている。
【００７３】
図１１および図１２を参照して、ランナー保持部材６Ｄは、底壁７０と、裏側立壁７１，７２と、表側立壁７３，７４とを含む。底壁７０は、ランナー３３，３４の下に位置する。つまり、ランナー３３，３４の下面と基礎１２の上面との間に、底壁７０が配置される。底壁７０の幅（表裏方向長さ）は、たとえば、基礎１２の幅（１００ｍｍ）と同じである。
【００７４】
裏側立壁７１，７２は、底壁７０から、ランナー３３，３４の裏側鍔部３３１，３４１それぞれの対向面３３１ａ，３４１ａに沿って立ち上がっている。本実施の形態では、裏側立壁７１，７２は、底壁７０の、ランナー３３，３４間に位置する部分における整列方向両端部が、整列方向にそれぞれ切り起こされて形成されている。本実施の形態では、裏側立壁７１，７２と、これら裏側立壁７１，７２に挟まれる底壁７０の中央部７０ａとが、裏側移動規制部６１Ｂとして機能する。
【００７５】
なお、裏側立壁７１，７２がランナー３３，３４の裏側への移動を規制できれば、裏側立壁７１，７２が切り起こされる向きは限定されない。たとえば、裏側立壁７１，７２は、底壁７０の、ランナー３３，３４間に位置する部分における整列方向両端部が、表裏方向に切り起こされてもよい。また、裏側立壁７１，７２は、底壁７０の一部が切り起こされて形成されることとしたが、別部材として底壁７０上に配置されていればよい。
【００７６】
表側立壁７３，７４は、底壁７０の表裏方向両端すなわち表側端部から、上方に立ち上がる。表側立壁７３，７４の裏側の面（内側面）は、それぞれランナー３３，３４の表側鍔部３３２，３４２の表側の面（外側面）と対向する。本実施の形態では、表側立壁７３，７４それぞれが、表側移動規制部６２Ｃ，６３Ｃとして機能する。
【００７７】
上記のような形状を有するランナー保持部材６Ｄは、ビス１４が底壁７０の中央部７０ａを貫通するように打ち込まれることで、基礎１２に固定される。本実施の形態では、基礎１２上にランナー保持部材６Ｄを固定した後に、ランナー３３，３４を嵌め込むため、ランナー３３，３４の設置が容易である。
【００７８】
＜実施の形態４＞
上記実施の形態１〜３では、ランナー保持部材は、２つのランナーを一括して保持する形状であった。これに対し、本実施の形態におけるランナー保持部材は、ランナーを１つずつ保持する２つの保持具により構成されている。以下に、実施の形態１と異なる部分のみ詳細に説明する。
【００７９】
図１３は、本発明の実施の形態４に係るランナー固定構造を模式的に示す上面図である。図１４および図１５は、本発明の実施の形態４に係るランナー固定構造を示す断面図である。図１４には、図１３に示すＸＩＶ−ＸＩＶ線に沿って切断されたランナー固定構造が示されている。図１５には、図１３に示すＸＶ−ＸＶ線に沿って切断されたランナー固定構造が示されている。
【００８０】
本実施の形態では、ランナー保持部材６Ｅは、一対のランナー保持具８，９によって実現される。ランナー保持具８は、ランナー３３のみを保持し、ランナー保持具９は、ランナー３４のみを保持する。したがって、ランナー保持具８およびランナー保持具９は、整列方向に沿って、千鳥状に配置される。
【００８１】
図１３および図１４を参照して、ランナー保持具８は、ランナー３３の、裏側への移動を規制する裏側移動規制部８１と、その表側への移動を規制する表側移動規制部８２と、それらを上側から抱えこむ抱え込み部８３とを含む。
【００８２】
裏側移動規制部８１は、立壁８１１と底壁８１２とで構成される。立壁８１１は、ランナー３３の裏側鍔部３３１の対向面３３１ａに沿って延びている。底壁８１２は、立壁８１１の下端と連結されており、基礎１２上に載置される。立壁８１１の上端は、抱え込み部８３と接続されている。立壁８１１および底壁８１２は、それぞれ、実施の形態１に係るランナー保持部材６の立壁６１１および底壁６１３（図６）に対応している。なお、本実施の形態では、底壁８１２とランナー３４とが接しないように、実施の形態１における底壁６１３よりも表裏方向長さを若干短くしてもよい。
【００８３】
表側移動規制部８２は、ランナー３３の裏側鍔部３３１の内側面３３１ｂに沿って延びている。表側移動規制部８２の上端が、抱え込み部８３と接続されている。表側移動規制部８２の下端とランナー３３のベース部３３０の上面とは離れていてよい。表側移動規制部８２および抱え込み部８３は、それぞれ、実施の形態１に係るランナー保持部材６の表側移動規制部６２および抱え込み部６４（図６）に対応している。
【００８４】
図１３および図１５を参照して、ランナー保持具９は、ランナー３４の、裏側への移動を規制する裏側移動規制部９１と、その表側への移動を規制する表側移動規制部９２と、それらを上側から抱えこむ抱え込み部９３とを含む。
【００８５】
裏側移動規制部９１は、立壁９１１と底壁９１２とで構成される。立壁９１１は、ランナー３４の裏側鍔部３４１の対向面３４１ａに沿って延びている。底壁９１２は、立壁９１１の下端と連結されており、基礎１２上に載置される。立壁９１１の上端は、抱え込み部９３と接続されている。立壁９１１および底壁９１２は、それぞれ、実施の形態１に係るランナー保持部材６の立壁６１２および底壁６１３（図６）に対応している。なお、本実施の形態では、底壁９１２とランナー３３とが接しないように、実施の形態１における底壁６１３よりも表裏方向長さを若干短くしてもよい。
【００８６】
表側移動規制部９２は、ランナー３４の裏側鍔部３４１の内側面３４１ｂに沿って延びている。表側移動規制部９２の上端が、抱え込み部９３と接続されている。表側移動規制部９２の下端とランナー３４のベース部３４０の上面とは離れていてよい。表側移動規制部９２および抱え込み部９３は、それぞれ、実施の形態１に係るランナー保持部材６の表側移動規制部６３および抱え込み部６５（図６）に対応している。
【００８７】
本実施の形態では、底壁８１２，９１２それぞれを貫通するようにビス１４が打ち込まれることで、ランナー保持具８，９は、基礎１２上に別個に固定される。
【００８８】
このように、本実施の形態によれば、ランナー保持具８，９により、ランナー３３，３４は、それぞれ別個に基礎１２上に固定される。したがって、ランナー保持具８とランナー３４との間、ランナー保持具９とランナー３３との間に隙間を生じさせることもできるため、実施の形態１のランナー保持部材６を用いる場合と比べて、遮音性をさらに高めることができる。
【００８９】
以上説明した各実施の形態によれば、表裏方向に２つの独立したランナーが間隔をおいて配置されるため、ランナーを介した音の伝搬を防止することができる。また、このような２つのランナーを基礎コンクリートなどに取り付ける場合には、上述のようなランナー保持部材を用いることで、２つのランナーであっても基礎の中央部において固定することができる。したがって、ビスによって幅の狭い基礎にランナーを固定する場合でも、基礎の破損を防ぐことができる。その結果、現場工程をスムーズに進めることができる。
【００９０】
なお、各実施の形態では、固定具がビスであるとしたが、限定的ではなく、土台部に差し込まれる部材であればよい。たとえば、固定具は、アンカーボルトおよびナットの組などであってもよい。
【００９１】
また、乾式壁を下方から支える土台部として基礎を例に説明したが、土台部上に固定具を差し込むことができるものであれば、基礎以外のものであってもよい。たとえば、乾式壁が間仕切り壁の場合などにおいては、土台部は、建物の床部であってもよい。
【００９２】
また、上記実施の形態を適宜組み合わせてもよい。
【００９３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９４】
１，１０１Ａ，１０１Ｂ  乾式壁、２  基礎部材、４，１０４  面部材、６，６Ａ，６Ｂ，６Ｃ，６Ｄ，６Ｅ  ランナー保持部材、１４，１４Ａ  ビス、８，９  ランナー保持具、１２  基礎、２１，２２，１２０  スタッド、３１，３２，３３，３４，１３１，１３３  ランナー、４１，１４１  石膏ボード、４２  強化石膏ボード、５１  柱、５２  下地、５３  吸音材、６１，６１Ａ，６１Ｂ，８１，９１  裏側移動規制部、６２，６２Ａ，６２Ｂ，６２Ｃ，６３，６３Ａ，６３Ｂ，６３Ｃ，８２，９２  表側移動規制部、６４，６５，８３，９３  抱え込み部、６７  凸部、６８，６９  押さえ部、７０，６１３，８１２，８１２，９１２，９１２  底壁、７１，７２  裏側立壁、７３，７４  表側立壁、１３５  スペーサ、３３０，３４０  ベース部、３３１，３４１  裏側鍔部、３３２，３４２  表側鍔部、６１１，６１２，８１１，９１１  立壁、６１４  筒体。
【図１】
2014240583.tif 000003
【図２】
2014240583.tif 000004
【図３】
2014240583.tif 000005
【図４】
2014240583.tif 000006
【図５】
2014240583.tif 000007
【図６】
2014240583.tif 000008
【図７】
2014240583.tif 000009
【図８】
2014240583.tif 000010
【図９】
2014240583.tif 000011
【図１０】
2014240583.tif 000012
【図１１】
2014240583.tif 000013
【図１２】
2014240583.tif 000014
【図１３】
2014240583.tif 000015
【図１４】
2014240583.tif 000016
【図１５】
2014240583.tif 000017
【図１６】
2014240583.tif 000018
【図１７】
2014240583.tif 000019
【図１８】
2014240583.tif 000020
【図１９】
2014240583.tif 000021
【図２０】
2014240583.tif 000022